(57)【要約】【課題】ユーザーが必要とする可能性の高い場合にのみ、前回ログイン時のユーザー設定を復活できるようにする。【解決手段】ユーザーからの指示に基づいて、画像形成装置１で実行可能な機能の設定を変更する変更部１０２と、ログインを行うログイン処理部１０３と、画像形成装置１が操作されない状態が一定時間経過すると、各機能の設定を初期設定に戻すリセット及びログアウトを自動で行うログアウト部１０４と、自動でのリセットの際に設定されている、ユーザーにより初期設定から変更されたユーザー設定をユーザー設定記憶部１１３に保存する保存部１０５と、自動でログアウトされた後に、再度、同じユーザーによりログインされた場合、ユーザー設定記憶部１１３に保存されているユーザー設定を画像形成装置１に反映させるが、反映禁止条件が成立していると反映を行わない反映部１０６とを備える。【選択図】図１
2020137071.tif 000002
【特許請求の範囲】
【請求項１】
ユーザーから指示の入力を受け付ける指示受付部と、
前記指示受付部に受け付けられているユーザー設定に従って本画像形成装置の各機能を実行する制御部と、
前記指示受付部が受け付けたユーザーからの指示に基づいて、本画像形成装置で実行可能な機能の設定を変更する変更部と、
ユーザー識別情報に基づいてログイン処理を行うログイン処理部と、
本画像形成装置が操作されない状態が予め定められた時間経過すると、各機能の設定を初期設定に戻すリセット及びログアウトを自動で行うログアウト部と、
前記ログアウト部による前記リセットの際に設定されている、ユーザーにより初期設定から変更されたユーザー設定を、当該ユーザーに対応付けてユーザー設定記憶部に保存する保存部と、
前記ログアウト部により前記ログアウトがされた後に、再度、同じユーザーについてのログイン処理を前記ログイン処理部が行った場合、当該ユーザーに対応付けて前記ユーザー設定記憶部に保存されている前記ユーザー設定を本画像形成装置に反映させ、予め定められた反映禁止条件が成立しているときには当該反映を行わない反映部と、を備え、
前記反映禁止条件は、前記ログアウトから、同じユーザーによりログインされるまでの経過時間が予め定められた第１閾値以上であることの第１条件、
前回のログイン中にジョブが実行されたことの第２条件、
前記ユーザー設定による初期設定から変更した設定の個数が予め定められた第２閾値以下であることの第３条件、
及び前回のログインにおけるログイン時間が予め定められた第３閾値以下であることの第４条件、の少なくとも１つである画像形成装置。
【請求項２】
前記反映禁止条件は、前記第１条件乃至前記第４条件のうちの２つ以上の条件を含み、
前記反映部は、前記２つ以上の条件のうちの１つでも成立していると、前記反映を行わない請求項１に記載の画像形成装置。
【請求項３】
前記反映禁止条件は、前記第３条件及び前記第４条件を含み、
前記第２閾値は１個に設定されている請求項２に記載の画像形成装置。
【請求項４】
前記第１条件乃至前記第４条件のうちの複数の条件が予め用意され、
前記反映禁止条件として使用する条件が、装置毎又はユーザー毎に設定可能である請求項１乃至請求項３のいずれかに記載の画像形成装置。
【請求項５】
前記第１閾値乃至前記第３閾値の少なくとも１つは、装置毎又はユーザー毎に設定可能である請求項１乃至請求項４のいずれかに記載の画像形成装置。
【請求項６】
前記反映部が前記ユーザー設定を反映させたにも拘わらず、前記指示受付部が各機能の設定を初期設定に戻す指示を受け付ける第１事象が発生した場合における、前記反映禁止条件の成立判断の判断材料となる前記経過時間、前記変更された設定の個数、及び前記ログイン時間の少なくとも１つと、
前記反映部が前記ユーザー設定を反映させなかったにも拘わらず、前記指示受付部が各機能の設定を前記ユーザー設定に再設定する指示を受け付ける第２事象が発生した場合における、前記反映禁止条件の成立判断の前記判断材料と、
前記反映禁止条件の成立判断の指標となる前記第１閾値乃至前記第３閾値の少なくとも１つと、に基づいて、
前記第１事象及び前記第２事象の発生頻度が低くなるように、前記成立判断の指標を設定し直す設定部を更に備える請求項１乃至請求項５のいずれかに記載の画像形成装置。
【発明の詳細な説明】
【技術分野】
【０００１】
本発明は、画像形成装置に関し、特に、自動でログアウトする機能を有する画像形成装置に関する。
【背景技術】
【０００２】
複写機や複合機等の画像形成装置には、操作が行われないまま一定時間が経過すると、ユーザーにより初期設定から変更されたユーザー設定を自動でリセットし、ログアウトする機能を有するものがある。
【先行技術文献】
【特許文献】
【０００３】
【特許文献１】特開２０１７−１６９１３６号公報
【発明の概要】
【発明が解決しようとする課題】
【０００４】
画像形成装置の機能について設定する内容は人によって様々なので、ユーザーが設定した内容についてそのリセット操作を忘れられると、次に使用する別のユーザーにとっては意図しない設定での動作、例えば集約コピーが実施されたり、両面コピーが実施されたりするなどして、無駄が発生することになる。そのため、複数人で共同使用されることが多い画像形成装置の場合には、オートリセット機能は便利な機能である。
【０００５】
しかしながら、作業の途中で、何らかの理由でユーザーが装置から離れ、戻ってきたら、リセットが掛かっていたり、用紙を給紙カセットに補給している間にリセットが掛かったりするなどし、ユーザーが望まないのにユーザーが設定した内容がリセットされてしまうことがある。そのような場合には、ユーザーはもう一度、設定をやり直さなければならず、手間である。
【０００６】
複写機や複合機等の画像形成装置が自動でログアウトされる状況としては、例えば、以下の２つが考えられる。
【０００７】
一つは、作業を中断しなければならない出来事（例えば、用紙を取りに行くためにユーザーが装置本体から離れることや、声を掛けてきた人の応対をすること）が生じ、しばらく操作が出来なくなった場合である。もう一つは、作業は完了したが、ユーザーがログアウト操作を行わずに、装置本体から離れてしまった場合である。
【０００８】
前者の場合、作業の途中であったので、ログアウトの際に設定されていたユーザー設定（前回のログイン時に設定されていたユーザー設定）を、次のログイン時にユーザーが必要とする可能性は高いと考えられる。一方、後者の場合、作業は完了しているので、前回のログイン時に設定されていたユーザー設定を、次のログイン時にユーザーが必要とする可能性は低いと考えられる。
【０００９】
上記の特許文献１に、自動でログアウトが行われた後に、再度、同じユーザーによってログインされた場合に、各機能の設定を、前回のログイン時に設定されていたユーザー設定に戻すことが記載されている。
【００１０】
しかしながら、上記のように、前回ログイン時のユーザー設定が次のログイン時にユーザーが必要とするとは限らない。不必要であるのに、各機能の設定が前回ログイン時のユーザー設定に復活していれば、リセット操作などをユーザーが行う必要があり、手間となる。また、前回ログイン時のユーザー設定が復活していることにユーザーが気づかなければ、意図しないジョブを実施してしまい、無駄が発生することも考えられる。
【００１１】
本発明は、上記の事情に鑑みなされたものであり、自動でログアウトされた場合において、ユーザーが必要とする可能性の高いときにのみ、前回ログイン時のユーザー設定を復活可能にすることを目的とする。
【課題を解決するための手段】
【００１２】
本発明の一局面に係る画像形成装置は、ユーザーから指示の入力を受け付ける指示受付部と、前記指示受付部に受け付けられているユーザー設定に従って本画像形成装置の各機能を実行する制御部と、前記指示受付部が受け付けたユーザーからの指示に基づいて、本画像形成装置で実行可能な機能の設定を変更する変更部と、ユーザー識別情報に基づいてログイン処理を行うログイン処理部と、本画像形成装置が操作されない状態が予め定められた時間経過すると、各機能の設定を初期設定に戻すリセット及びログアウトを自動で行うログアウト部と、前記ログアウト部による前記リセットの際に設定されている、ユーザーにより初期設定から変更されたユーザー設定を、当該ユーザーに対応付けてユーザー設定記憶部に保存する保存部と、前記ログアウト部により前記ログアウトがされた後に、再度、同じユーザーについてのログイン処理を前記ログイン処理部が行った場合、当該ユーザーに対応付けて前記ユーザー設定記憶部に保存されている前記ユーザー設定を本画像形成装置に反映させ、予め定められた反映禁止条件が成立しているときには当該反映を行わない反映部と、を備え、前記反映禁止条件は、前記ログアウトから、同じユーザーによりログインされるまでの経過時間が予め定められた第１閾値以上であることの第１条件、前回のログイン中にジョブが実行されたことの第２条件、前記ユーザー設定による初期設定から変更した設定の個数が予め定められた第２閾値以下であることの第３条件、及び前回のログインにおけるログイン時間が予め定められた第３閾値以下であることの第４条件、の少なくとも１つである。
【００１３】
本発明の一局面に係る画像形成装置では、操作されない状態が予め定められた時間（例えば、６０秒）経過すると、各機能の設定を初期設定に戻すリセット及びログアウトが自動で行われるが、リセットされるユーザー設定はユーザーに対応付けて保存される。
【００１４】
その後、再度、同じユーザーによってログインされた場合、リセットされたユーザー設定が反映されるようになっているが、反映禁止条件が成立していると、当該ユーザー設定は反映されず、各機能の設定は初期設定のままになる。
【００１５】
反映禁止条件は、上記第１条件乃至上記第４条件の少なくとも１つである。上記第１条件が成立するのは、自動でのログアウトから、同じユーザーによりログインされるまでの経過時間が長いときである。
【００１６】
前回のログイン中に、作業を中断しなければならない出来事が生じて、自動でログアウトされた場合には、上記経過時間は短くなる可能性が高いと考えられる。換言すれば、上記経過時間が長い場合、前回のログイン中に作業は中断しておらず、前回ログイン時のユーザー設定を今回のログイン時にユーザーが必要とする可能性は低い。従って、上記第１条件が成立している場合、前回ログイン時のユーザー設定を反映させないのが良い。
【００１７】
上記第２条件が成立するのは、前回のログイン中にジョブが実行されたときである。ジョブが実行されていれば、前回のログイン中に作業が完了している可能性が高く、前回ログイン時のユーザー設定を次のログイン時にユーザーが必要とする可能性は低いと言える。従って、上記第２条件が成立している場合、前回ログイン時のユーザー設定を反映させないのが良い。
【００１８】
上記第３条件が成立するのは、ユーザー設定による初期設定からの変更個数が少ないときである。例えば、変更個数が０個の場合には、ユーザー設定は初期設定のままであり、前回ログイン時のユーザー設定をわざわざ反映させる必要はない。また、変更個数が１個の場合には、再設定のためのユーザーの手間は少ないと言える。従って、上記第３条件が成立している場合、前回ログイン時のユーザー設定を反映させなくても差し支えない。
【００１９】
上記第４条件が成立するのは、前回のログインでのログイン時間（前回のログイン時刻からログアウト時刻までの時間）が短いときである。ログイン時間が短ければ、ユーザー設定の作業に要した時間は短いと言える。ユーザー設定の作業に要した時間が短ければ、再設定のためのユーザーの手間は少ないと考えられる。従って、上記第４条件が成立している場合、前回ログイン時のユーザー設定を反映させなくても差し支えない。
【００２０】
上記第１条件乃至上記第４条件が成立するのは、前回ログイン時のユーザー設定を反映させない方が良い場合や、前回ログイン時のユーザー設定を反映させなくても差し支えない場合であり、このような場合には、前回ログイン時のユーザー設定は反映されない。従って、ユーザーが必要とする可能性の高い場合にのみ、前回ログイン時のユーザー設定を復活させることができる。
【発明の効果】
【００２１】
本発明によれば、自動でログアウトされた場合において、ユーザーが必要とする可能性の高いときにのみ、前回ログイン時のユーザー設定を復活させることができる。
【図面の簡単な説明】
【００２２】
【図１】本発明の一実施形態に係る画像形成装置の主要内部構成を概略的に示した機能ブロック図である。
【図２】ユーザー設定記憶部に記憶されるデータ構成の一例を示した図である。
【図３】指示状況記憶部に記憶されるデータ構成の一例を示した図である。
【図４】画像形成装置１におけるユーザーからの指示の状況の保存処理の第１実施形態を示したフローチャートである。
【図５】画像形成装置１におけるユーザー設定の反映処理の一例を示したフローチャートである。
【図６】画像形成装置１におけるユーザーからの指示の状況の保存処理の第２実施形態を示したフローチャートである。
【図７】更なる実施形態に係る画像形成装置の主要内部構成を概略的に示した機能ブロック図である。
【発明を実施するための形態】
【００２３】
以下、本発明の一実施形態に係る画像形成装置について図面を参照して説明する。図１は、本発明の一実施形態に係る画像形成装置の主要内部構成を概略的に示した機能ブロック図である。
【００２４】
本発明の一実施形態に係る画像形成装置は、例えば、コピー機能、プリンター機能、スキャナー機能、及びファクシミリ機能のような複数の機能を兼ね備える複合機である。画像形成装置１は、制御ユニット１０、原稿給送部６、原稿読取部５、画像形成部１２、ＨＤＤ（Hard Disk Drive）１１１、定着部１３、給紙部１４、及び操作部４７を備える。
【００２５】
画像形成装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００２６】
画像形成装置１で画像形成動作が行われる場合について説明する。原稿読取動作により生成された画像データや、ネットワーク接続されたパソコン等の外部装置（図示せず）から受信した画像データ等に基づいて、画像形成部１２が、給紙部１４から給紙される記録媒体としての記録紙にトナー像を形成する。
【００２７】
ＨＤＤ１１１は、大容量の記憶装置であり、ログイン情報記憶部１１２と、ユーザー設定記憶部１１３と、指示状況記憶部１１４とを含む。ログイン情報記憶部１１２は、当該画像形成装置１にログインするために必要なユーザー識別情報であるログインＩＤ及びパスワード等のログイン情報を記憶する。ユーザー設定記憶部１１３は、当該画像形成装置１で実行可能な機能について、ユーザーにより初期設定から変更されたユーザー設定を、当該ユーザーのユーザー識別情報に対応付けて記憶する。指示状況記憶部１１４は、ユーザーからの指示の状況を、当該ユーザーのユーザー識別情報に対応付けて記憶する。
【００２８】
図２は、ユーザー設定記憶部１１３に記憶されるユーザー設定としてのデータ構成の一例を示した図である。図２に示すように、ユーザー設定記憶部１１３は、例えば、ユーザー識別情報「Ａ００１」に対応付けて、濃度を調整する機能を「＋４（濃い）」に設定し、画像の輪郭の強弱を調整する機能（シャープネス）を「＋３（強く）」に設定し、画像の濃淡のコントラストを調整する機能を「−４（低く）」に設定することが記憶されている。
【００２９】
また、ユーザー識別情報「Ａ００２」に対応付けて、画像の倍率を変更する機能（縮小／拡大）を「８６％」に設定することが記憶され、ユーザー識別情報「Ａ００３」に対応付けて、複数の原稿を１枚に集約して印刷する機能（ページ集約）を「２in１」に設定し、濃度を調整する機能を「−２（薄く）」に設定することが記憶されている。ユーザー識別情報「Ａ００４」については、ユーザー設定は記憶されていない。
【００３０】
図３は、指示状況記憶部１１４に記憶されるデータ構成の一例を示した図である。図３に示すように、指示状況記憶部１１４は、ユーザー識別情報に対応付けて、ユーザーからの指示の状況を記憶し、当該ユーザーからの指示の状況（指示状況）は「ログアウト時刻」と「ログイン時間」と「ジョブ実行有無」とから構成されている。「ジョブ実行有無」は、前回のログイン中にジョブが実行されたか否かの有無情報を記憶する。なお、「ログアウト時刻」は、前回ログインでのログアウト時刻であり、「ログイン時間」は、前回ログインでのログイン時刻からログアウト時刻までの長さ（時間）である。
【００３１】
例えば、ユーザー識別情報「Ａ００１」に対応付けて、「ログアウト時刻」として「２月１２日１３時５２分１９秒」が記憶され、「ログイン時間」として「２２５秒」が記憶され、「ジョブ実行有無」として「無」が記憶されている。
【００３２】
また、ユーザー識別情報「Ａ００２」に対応付けて、「ログアウト時刻」として「２月１３日１０時４２分４３秒」が、「ログイン時間」として「３０１秒」が記憶され、「ジョブ実行有無」として「有」が記憶され、ユーザー識別情報「Ａ００３」に対応付けて、「ログアウト時刻」として「２月１３日１６時５５分０７秒」が、「ログイン時間」として「８８秒」が記憶され、「ジョブ実行有無」として「無」が記憶されている。ユーザー識別情報「Ａ００４」については、ユーザーからの指示の状況は記憶されていない。
【００３３】
定着部１３は、画像形成部１２によりトナー像が形成された記録紙を加熱及び加圧して、トナー像を記録紙に定着させるものであり、定着処理が施された記録紙は図略の排出トレイに排出される。給紙部１４は、給紙カセットを備える。
【００３４】
操作部４７は、画像形成装置１が実行可能な各種動作及び処理について、操作者から、画像形成動作実行指示等の指示を受け付ける。操作部４７は、操作者への操作案内等を表示する表示部４７３を備えている。
【００３５】
表示部４７３はタッチパネル機能を有しており、操作者は画面表示されるボタンやキーに触れて画像形成装置１を操作することができる。
【００３６】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、指示受付部１０１と、変更部１０２と、ログイン処理部１０３と、ログアウト部１０４と、保存部１０５と、反映部１０６と、を備えている。
【００３７】
制御ユニット１０は、ＨＤＤ１１１に記憶されている制御プログラムに従った上記プロセッサーによる動作により、制御部１００、指示受付部１０１、変更部１０２、ログイン処理部１０３、ログアウト部１０４、保存部１０５、及び反映部１０６として機能するものである。但し、制御部１００等は、制御ユニット１０による制御プログラムに従った動作によらず、それぞれハードウェア回路により構成することも可能である。以下、特に触れない限り、各実施形態について同様である。
【００３８】
制御部１００は、画像形成装置１の全体的な動作制御を司る。制御部１００は、原稿給送部６、原稿読取部５、画像形成部１２、ＨＤＤ１１１、定着部１３、給紙部１４、及び操作部４７と接続され、これら各部の駆動制御等を行う。
【００３９】
指示受付部１０１は、操作部４７を介してユーザーから指示の入力を受け付ける。指示受付部１０１は、操作部４７が備えるハードキーの操作に応じてユーザーから指示を受け付け、更には、表示部４７３に表示されている操作画面の操作に応じたユーザーからの指示を、表示部４７３が有するタッチパネル機能により受け付ける。制御部１００は、指示受付部１０１に受け付けられているユーザーからの指示により示されるユーザー設定に従って、画像形成装置１の各機能を実行する。
【００４０】
例えば、指示受付部１０１は、画像形成装置１で実行可能な機能の設定のユーザーによる変更を受け付けると共に、操作部４７に対するユーザーからの指示によりジョブ実行のユーザー指示を受け付ける。
【００４１】
変更部１０２は、指示受付部１０１が受け付けたユーザーからの指示に基づいて、画像形成装置１で実行可能な機能の設定を変更する。ジョブ実行のユーザー指示を指示受付部１０１が受け付けると、制御部１００は、変更部１０２が変更した設定に従って、ジョブの実行を行う。
【００４２】
ログイン処理部１０３は、操作部４７に対するユーザーからの指示により入力されたログイン情報を指示受付部１０１が受け付けたときに、入力されたログイン情報が、ログイン情報記憶部１１２に記憶されているか否かを判断し、当該ログイン情報が記憶されていると判断したときに、画像形成装置１に対する当該ユーザーのログインを許可する（ログインさせる）、というログイン処理を行う。
【００４３】
ログアウト部１０４は、画像形成装置１に対するログアウトを行う。例えば、ログアウト部１０４は、操作部４７に対するユーザーからログアウトの指示を指示受付部１０１が受け付けたときに、各機能の設定を初期設定に戻すリセットを行って、画像形成装置１のログアウトを行う。また、ログアウト部１０４は、画像形成装置１が操作されない状態が予め定められた時間（例えば、６０秒）経過すると、各機能の設定を初期設定に戻すリセット及びログアウトを自動で行う。
【００４４】
保存部１０５は、ログアウト部１０４による自動でのリセットの際に設定されている、ユーザーにより初期設定から変更されたユーザー設定を、ログインしていたユーザーのユーザー識別情報に対応付けてユーザー設定記憶部１１３に保存する。また、保存部１０５は、指示状況として、「ログアウト時刻」、「ログイン時間」、及び「ジョブ実行有無」を、ログインしていたユーザーのユーザー識別情報に対応付けてユーザーからの指示状況記憶部１１４に保存する。
【００４５】
反映部１０６は、自動でログアウトされた後に、再度、同じユーザーによりログインされた場合、当該ユーザーのユーザー識別情報に対応付けてユーザー設定記憶部１１３に保存されているユーザー設定を指示受付部１０１に記憶させることにより、ユーザー設定を指示受付部１０１に反映させる。但し、反映部１０６は、予め定められた反映禁止条件が成立していると、当該反映を行わない。なお、上記反映禁止条件としては、例えば、以下の４つの条件が挙げられる。
【００４６】
第１条件：自動でのログアウトから、同じユーザーによりログインされるまでの経過時間ＥＴが予め定められた第１閾値ＴＨ１（例えば、１８０秒）以上であること。
【００４７】
第２条件：前回のログイン中にジョブが実行されたこと。
【００４８】
第３条件：ユーザー設定による初期設定からの変更個数Ｎが予め定められた第２閾値ＴＨ２（例えば、１個）以下であること。
【００４９】
第４条件：前回のログインでのログイン時間ＬＴが予め定められた第３閾値ＴＨ３（９０秒）以下であること。
【００５０】
次に、画像形成装置１におけるユーザーからの指示の状況の保存処理の一例について、図４に示したフローチャートに基づいて説明する。なお、この処理は、ユーザーが画像形成装置１にログインした直後から実行される処理である。
【００５１】
まず、保存部１０５が、ログイン時刻を一時的に記憶すると共に（Ｓ１）、今回のログイン中にジョブが実行されたか否かを示すフラグＦを０にする（Ｓ２）。続いて、ログアウト部１０４が、制御ユニット１０に内蔵されるタイマーＴを０にリセットして、画像形成装置１が操作されない状態の時間計測を開始し（Ｓ３）、タイマーＴが予め定められた時間Ｔ１（例えば、６０秒）以上になったか否かを判断する（Ｓ４）。
【００５２】
ログアウト部１０４は、タイマーＴが時間Ｔ１以上になっていないと判断した場合（Ｓ４でＮＯ）、画像形成装置１の操作が行われたか否かを判断し（Ｓ５）、画像形成装置１の操作が行われたと判断した場合（Ｓ５でＹＥＳ）、タイマーＴを０にリセットする（Ｓ６）。一方、ログアウト部１０４は、画像形成装置１の操作が行われていないと判断した場合（Ｓ５でＮＯ）、タイマーＴを０にリセットしない。この後、処理はＳ４へ戻る。
【００５３】
続いて、保存部１０５は、当該操作がジョブ実行の操作であったか否かを判断し（Ｓ７）、当該操作がジョブ実行の操作であったと判断した場合（Ｓ７でＹＥＳ）、フラグＦを１にする（Ｓ８）。この後、処理はＳ４へ戻る。一方、保存部１０５は、当該操作がジョブ実行の操作でないと判断した場合（Ｓ７でＮＯ）、フラグＦを１にしない。処理はＳ４へ戻る。なお、ジョブが実行されると、ログアウト部１０４は、タイマーＴを０にリセットすると共に、タイマーＴによる時間の計測を停止し、ジョブが終了すると、タイマーＴによる時間の計測を再開する。
【００５４】
Ｓ４において、ログアウト部１０４が、タイマーＴが時間Ｔ１以上になったと判断した場合（Ｓ４でＹＥＳ）、保存部１０５は、ユーザーにより初期設定から変更されたユーザー設定を、ログインしているユーザーのユーザー識別情報に対応付けて、ユーザー設定記憶部１１３に保存する（Ｓ９）。その後、ログアウト部１０４が、各機能の設定をリセットして初期設定に戻し（Ｓ１０）、画像形成装置１のログアウトを行う（Ｓ１１）。
【００５５】
その後、保存部１０５は、ユーザーからの指示状況を、ログインしているユーザーのユーザー識別情報に対応付けて、指示状況記憶部１１４に保存する（Ｓ１２）。この後、処理は終了する。
【００５６】
指示状況記憶部１１４にユーザーからの指示の状況（指示状況）として保存されるのは、「ログアウト時刻」、「ログイン時間」、及び「ジョブ実行有無」である。ログアウト時刻は、Ｓ１１でログアウト部１０４によりログアウトされた時刻であり、ログイン時間は、ログアウト時刻からＳ１で保存部１０５が一時的に記憶したログイン時刻を差し引いた時間である。また、ジョブ実行有無は、フラグＦが「１」の場合に「有」となり、フラグＦが「０」の場合に「無」となる。
【００５７】
なお、ユーザーからログアウトのユーザー指示を指示受付部１０１が受け付けたときに、ログアウト部１０４が、各機能の設定を初期設定に戻すリセットを行って、画像形成装置１のログアウトを行った場合は、保存部１０５は、当該ユーザーのユーザー識別情報に対応付けて、ユーザー設定記憶部１１３に記憶されているユーザー設定と、指示状況記憶部１１４に記憶されているユーザーからの指示の状況とを削除する。
【００５８】
次に、画像形成装置１におけるユーザー設定の反映処理の一例について、図５に示したフローチャートに基づいて説明する。なお、この処理も、ユーザーが画像形成装置１にログインした直後から実行される処理である。
【００５９】
反映部１０６は、ログインしているユーザーのユーザー識別情報に基づいて、当該ユーザーに対するユーザー設定がユーザー設定記憶部１１３に保存されているか否かを判断する（Ｓ２１）。
【００６０】
反映部１０６は、当該ユーザーに対するユーザー設定がユーザー設定記憶部１１３に保存されていると判断した場合（Ｓ２１でＹＥＳ）、当該ユーザーのユーザー識別情報に基づいて、指示状況記憶部１１４から前回のログアウト時刻を読み出し、今回のログイン時刻から前回のログアウト時刻を差し引くことで、自動でのログアウトから、同じユーザーによりログインされるまでの経過時間ＥＴを算出し（Ｓ２２）、経過時間ＥＴが予め定められた第１閾値ＴＨ１以上であるか否かを判断する（Ｓ２３）。すなわち、反映部１０６は、反映禁止条件の１つである上記第１条件が成立しているか否かを判断する。
【００６１】
反映部１０６が、経過時間ＥＴが第１閾値ＴＨ１以上である（すなわち、自動でのログアウトから、同じユーザーによりログインされるまでの経過時間ＥＴが長い）と判断した場合（Ｓ２３でＹＥＳ）、処理は終了する。前回のログイン中にユーザー作業は中断していないと考えられ、前回ログイン時のユーザー設定を今回のログイン時にユーザーが必要とする可能性は低いためである。
【００６２】
例えば、ユーザー識別情報が「Ａ００１」であるユーザーが２月１２日１６時にログインした場合、経過時間ＥＴは約２時間で、第１閾値ＴＨ１（例えば、１８０秒）以上であるので、上記第１条件は成立するが、同ユーザーが２月１２日１３時５４分４８秒にログインした場合、経過時間ＥＴ（１４９秒）は１８０秒以上でないので、上記第１条件は成立しない。
【００６３】
一方、反映部１０６は、経過時間ＥＴが第１閾値ＴＨ１以上でないと判断した場合（Ｓ２３でＮＯ）、反映部１０６は、指示状況記憶部１１４に記憶されている、ログインしているユーザーの指示状況（ここでは、ジョブ実行有無）に基づいて、前回のログイン中にジョブが実行されたか否かを判断する（Ｓ２４）。すなわち、反映部１０６は、反映禁止条件の１つである上記第２条件が成立しているか否かを判断する。
【００６４】
反映部１０６が、前回のログイン中にジョブが実行されたと判断した場合（Ｓ２４でＹＥＳ）、処理は終了する。前回のログイン中にユーザー作業が完了している可能性が高く、前回ログイン時のユーザー設定を次のログイン時にユーザーが必要とする可能性は低いためである。
【００６５】
例えば、ユーザー識別情報が「Ａ００２」であるユーザーがログインしている場合、ジョブ実行有無は「有」なので、上記第２条件は成立するが、ユーザー識別情報が「Ａ００１」、「Ａ００３」であるユーザーがログインしている場合、ジョブ実行有無は「無」なので、上記第２条件は成立しない。
【００６６】
一方、反映部１０６は、前回のログイン中にジョブが実行されていないと判断した場合（Ｓ２４でＮＯ）、ユーザー設定記憶部１１３に記憶されている、ログインしているユーザーのユーザー設定に基づいて、ユーザー設定による初期設定からの変更個数Ｎを求め（Ｓ２５）、変更個数Ｎが予め定められた第２閾値ＴＨ２以下であるかを判断する（Ｓ２６）。すなわち、反映部１０６は、反映禁止条件の１つである上記第３条件が成立しているか否かを判断する。
【００６７】
反映部１０６が、変更個数Ｎが第２閾値ＴＨ２以下である（すなわち、変更個数Ｎが少ない）と判断した場合（Ｓ２６でＹＥＳ）、処理は終了する。再設定のためのユーザーの手間は少ないためである。
【００６８】
例えば、ユーザー識別情報が「Ａ００２」であるユーザーがログインしている場合、変更工数Ｎは１個で、第２閾値ＴＨ２（例えば、１個）以下であるので、上記第３条件は成立するが、ユーザー識別情報が「Ａ００１」、「Ａ００３」であるユーザーがログインしている場合、変更個数Ｎは１個以下でないので、上記第３条件は成立しない。
【００６９】
一方、反映部１０６は、変更個数Ｎが第２閾値ＴＨ２以下でないと判断した場合（Ｓ２６でＮＯ）、ログインしているユーザーのユーザー識別情報に基づいて、指示状況記憶部１１４からログイン時間ＬＴを読み出し、ログイン時間ＬＴが予め定められた第３閾値ＴＨ３以下であるか否かを判断する（Ｓ２７）。すなわち、反映部１０６は、反映禁止条件の１つである上記第４条件が成立しているか否かを判断する。なお、第３閾値ＴＨ３は、自動でログアウトするか否かの判定に用いる時間Ｔ１よりも長く設定される。
【００７０】
反映部１０６が、ログイン時間ＬＴが第３閾値ＴＨ３以下である（すなわち、ログイン時間ＬＴが短い）と判断した場合（Ｓ２７でＹＥＳ）、処理は終了する。ユーザー設定の作業に要した時間は短く、再設定のためのユーザーの手間は少ないためである。
【００７１】
例えば、ユーザー識別情報が「Ａ００３」であるユーザーがログインしている場合、ログイン時間ＬＴは８８秒で、第３閾値ＴＨ３（例えば、９０秒）以下であるので、上記第４条件は成立するが、ユーザー識別情報が「Ａ００１」、「Ａ００２」であるユーザーがログインしている場合、ログイン時間ＬＴは９０秒以下でないので、上記第４条件は成立しない。
【００７２】
一方、反映部１０６は、ログイン時間ＬＴが第３閾値ＴＨ３以下でないと判断した場合（Ｓ２７でＮＯ）、ログインしているユーザーのユーザー識別情報に対応付けてユーザー設定記憶部１１３に保存されているユーザー設定を画像形成装置１に反映させる（Ｓ２８）。この後、処理は終了する。
【００７３】
また、Ｓ２１において、反映部１０６が、当該ユーザーに対するユーザー設定がユーザー設定記憶部１１３に保存されていないと判断した場合（Ｓ２１でＮＯ）、この処理を終了する。
【００７４】
上記実施形態によれば、操作されない状態が予め定められた時間Ｔ１経過すると、各機能の設定を初期設定に戻すリセット及びログアウトが自動で行われるが、リセットされるユーザー設定はユーザーに対応付けて保存される。
【００７５】
その後、再度、同じユーザーによってログインされた場合、リセットされたユーザー設定が反映されるようになっているが、反映禁止条件である上記第１条件乃至第４条件のいずれかが成立していると、当該ユーザー設定は反映されず、各機能の設定は初期設定のままになる。
【００７６】
上記第１条件乃至上記第４条件が成立するのは、前回ログイン時のユーザー設定を反映させない方が良い場合や、前回ログイン時のユーザー設定を反映させなくても差し支えない場合であり、このような場合には、前回ログイン時のユーザー設定は反映されない。従って、ユーザーが必要とする可能性の高い場合にのみ、前回ログイン時のユーザー設定を復活させる。
【００７７】
なお、ユーザーからの指示の状況の保存処理の第１実施形態では、Ｓ７において、保存部１０５が、画像形成装置１の操作がジョブ実行の操作でないと判断した場合（Ｓ７でＮＯ）、処理はそのままＳ４へ戻る場合について説明しているが、第２実施形態として、図６に示すように、保存部１０５が、フラグＦを０にしてから（Ｓ８Ａ）、処理をＳ４へ戻すようにしてもよい。
【００７８】
これにより、画像形成装置１での最後の操作がジョブ実行の操作である場合にだけ、フラグＦは１になるので、Ｓ１２において、保存部１０５が、指示状況記憶部１１４に、ジョブ実行有無として「有」を保存するのは、画像形成装置１での最後の操作がジョブ実行の操作である場合に限定することができる。従って、前回のログイン中にジョブが実行されたとしても、その後に、各機能の設定変更が行われている場合には、反映禁止条件としての上記第２条件が成立しないようにすることができる。
【００７９】
また、上記実施形態では、反映部１０６が反映禁止条件として、上記第１条件乃至上記第４条件のすべてを用いる場合について説明しているが、別の実施形態では、上記第１条件乃至上記第４条件のうちのいずれか１つ乃至３つに限定してもよい。また、反映部１０６が、上記第１条件乃至上記第４条件のうちの２つ以上の条件を予め用意し、反映禁止条件として使用する条件を、装置毎又はユーザー毎に自由に設定可能にしてもよい。ユーザー毎に反映禁止条件として使用する条件を設定する場合には、ユーザー識別情報に対応付けて、使用する条件の種類をＨＤＤ１１１等に記憶させておけばよい。
【００８０】
但し、上記第３条件については、上記第４条件と一緒に使用するのが好ましい。例えば、第２閾値ＴＨ２が１個に設定されていると、変更個数Ｎが複数個である場合、上記第３条件は成立せず、ユーザー設定が反映される可能性があるが、再設定のための作業時間が短く、ユーザーの手間が少なければ、ユーザー設定を反映させなくても差し支えない。そして、再設定のための作業時間が短いか否かの判断は、上記第４条件を使用すれば可能である。
【００８１】
更に別の実施形態として、反映禁止条件の成立判断の指標となる第１閾値ＴＨ１、第２閾値ＴＨ２、及び第３閾値ＴＨ３についても、装置毎又はユーザー毎に自由に設定可能にしてもよい。
【００８２】
ところで、反映部１０６がユーザー設定を反映させたにも拘わらず、指示受付部１０１が各機能の設定を初期設定に戻す指示を受け付ける事象（第１事象）が発生したり、反映部１０６がユーザー設定を反映させなかったにも拘わらず、指示受付部１０１が各機能の設定をユーザー設定に再設定する指示を受け付ける事象（第２事象）が発生したりすることが考えられる。
【００８３】
すなわち、ユーザー設定が必要でなかったのに反映されたり（第１事象）、ユーザー設定が必要であったのに反映されなかったり（第２事象）、という好ましくない事象が発生することが考えられる。このような事象の発生頻度を低くするには、反映禁止条件が成立しているか否かの判断の指標となる第１閾値ＴＨ１、第２閾値ＴＨ２、及び第３閾値ＴＨ３を適正値に更新することが好適である。
【００８４】
そこで、更なる実施形態としての画像形成装置１では、図７に示すように、制御ユニット１０が設定部１０７を備えるようにする。
【００８５】
設定部１０７は、上記第１事象が発生した場合における反映禁止条件の成立判断の判断材料となる経過時間ＥＴ、変更個数Ｎ、及びログイン時間ＬＴと、上記第２事象が発生した場合における反映禁止条件の成立判断の判断材料となる経過時間ＥＴ、変更個数Ｎ、及びログイン時間ＬＴと、上記成立判断の指標となる第１閾値ＴＨ１、第２閾値ＴＨ２、及び第３閾値ＴＨ３と、に基づいて、上記第１事象及び上記第２事象の発生頻度が低くなるように、第１閾値ＴＨ１、第２閾値ＴＨ２、及び第３閾値ＴＨ３を設定し直す。
【００８６】
例えば、第１閾値ＴＨ１が１８０秒に設定されているときに、経過時間ＥＴが１６５秒で、上記第１条件が成立せず、反映部１０６がユーザー設定を反映させたにも拘わらず（但し、上記第２条件乃至上記第４条件のいずれかが成立していれば、ユーザー設定は反映されない）、ユーザーがリセット操作を行った場合、設定部１０７は、第１閾値ＴＨ１が予め定められた第１時間だけ短くなるように設定し直す。
【００８７】
その逆に、第１閾値ＴＨ１が１８０秒に設定されているときに、経過時間ＥＴが１９０秒で、上記第１条件が成立し、反映部１０６がユーザー設定を反映させなかったが、ユーザーが前回ログイン時のユーザー設定を再設定した場合（現状のユーザー設定とユーザー設定記憶部１１３に記憶されているユーザー設定とが一致した場合）、設定部１０７は、第１閾値ＴＨ１が予め定められた第２時間だけ長くなるように設定し直す。
【００８８】
本発明は上記実施の形態の構成に限られず種々の変形が可能である。また、上記実施形態では、本発明に係る画像形成装置の一実施形態として複合機を用いて説明しているが、これは一例に過ぎず、スキャナー機能やプリント機能、ファクシミリ機能等を有した他の画像形成装置でもよい。
【００８９】
また、上記実施形態では、図１乃至図７を用いて上記実施形態により示した構成及び処理は、本発明の一実施形態に過ぎず、本発明を当該構成及び処理に限定する趣旨ではない。
【符号の説明】
【００９０】
１        画像形成装置
１０１    指示受付部
１０２    変更部
１０３    ログイン処理部
１０４    ログアウト部
１０５    保存部
１０６    反映部
１０７    設定部
１１３    ユーザー設定記憶部
【図１】
2020137071.tif 000003
【図２】
2020137071.tif 000004
【図３】
2020137071.tif 000005
【図４】
2020137071.tif 000006
【図５】
2020137071.tif 000007
【図６】
2020137071.tif 000008
【図７】
2020137071.tif 000009